(57)【特許請求の範囲】
【請求項１】
前景および背景を有する複数のエリアに細分された図形を表示する方法であって、前記エリアの前記前景および前記背景の各々が、１つの選択可能な色に切り替え可能であり、かつ透過表示に切り替え可能であり、これにより、前記エリアにおいて少なくとも１つの異なった表示平面が透視可能である図形表示方法において、前記エリア毎に、当該エリアで前記前景用に選択された前景色と、同じエリアで前記背景用に選択された背景色とを比較して、前記選択された前景色と前記選択された背景色とが同一である前記エリアの前記前景および／または前記背景を透過表示に切り替えることを特徴とする図形表示方法。
【請求項２】
請求項１記載の方法において、第１の前記エリアと、これに隣接する第２の前記エリアとの間での、当該エリアの前記前景用に選択された前景色の変化および当該エリアの前記背景用に選択された背景色の変化を特定し、前記第１のエリアの前記前景色および前記背景色、および前記第２のエリアと前記第１のエリアとの間における前記前景色の変化及び前記背景色の変化に依存して、前記第１のエリアの前記前景または前記背景を透過表示に切り替える判定を行うことを特徴とする図形表示方法。
【請求項３】
請求項２記載の方法において、前記第１のエリアの前記前景用に選択された前景色が、前記第２のエリアの前記前景用に選択された前景色に対し変化した時、かつ前記第１のエリアの前記前景用に選択された前景色が、このエリアの前記背景用に選択された背景色と同一である時に、前記第１のエリアの前記前景を透過表示に切り替えることを特徴とする図形表示方法。
【請求項４】
請求項２記載の方法において、前記第１のエリアの前記背景用に選択された背景色が、前記第２のエリアの前記背景用に選択された背景色に対し変化した時、かつ前記第１のエリアの前記背景用に選択された背景色が、このエリアの前記前景用に選択された前景色と同一である時に、前記第１のエリアの前記背景を透過表示に切り替えることを特徴とする図形表示方法。
【請求項５】
請求項２記載の方法において、前記第１のエリアの前記前景用に選択された前景色および前記背景用に選択された背景色が、それぞれ、前記第２のエリアの前記前景用に選択された前景色および前記背景用に選択された背景色に対し変化した時、かつ前記第１のエリアの前記前景用に選択された前景色と前記背景用に選択された背景色とが同一である時に、前記第１のエリアの前記前景および前記背景を透過表示に切り替えることを特徴とする図形表示方法。
【請求項６】
請求項１記載の方法において、前記図形がビデオテキストであり、前記図形の前記エリアの前記前景の前景色は、前記ビデオテキストの記号用に選択可能であり、前記エリアの前記背景の色は背景色として選択可能であり、前記ビデオテキストの記号は前記背景上にある前記前景として表示可能であり、他の表示平面に画像信号を表示可能であることを特徴とする図形表示方法。
【請求項７】
前景および背景を有する複数のエリアに細分された図形を表示する方法であって、前記エリアの前記前景および前記背景の各々が、１つの選択可能な色に切り替え可能であり、かつ透過表示に切り替え可能であり、これにより、前記エリアにおいて少なくとも１つの異なった表示平面を透視可能である図形表示方法を実施するための回路装置において、前記エリア毎に、当該エリアで前記前景用に選択された前景色と、当該エリアで前記背景用に選択された背景色との等しさを検査して、前記選択された前景色と前記選択された背景色とが同一である前記エリアの前記前景および／または前記背景を透過表示に切り替える認識回路を具えていることを特徴とする図形表示回路装置。
【請求項８】
請求項７記載の回路装置において、前記認識回路が、第１の前記エリアと、これに隣接する第２の前記エリア間での、当該エリアの前記前景用に選択された前景色の変化および当該エリアの前記背景用に選択された背景色の変化を特定し、前記認識回路が、前記第１のエリアの前記前景色および前記背景色、および前記第２のエリアと前記第１のエリアとの間における前記前景色の変化及び前記背景色の変化に依存して、前記第１のエリアの前記前景および／または前記背景を透過表示に切り替えることを特徴とする図形表示回路装置。
【発明の詳細な説明】
【０００１】
【発明の属する技術分野】
この発明は、各々が１つの選択可能な色にエリア(area)単位で切り替え可能な、前景および背景を有する複数エリアに細分された図形を表示する方法であって、図形エリアが透過表示により少なくとも１つの異なった表示平面に切り替え可能な(transparently switchable)図形表示方法に関するものである。
【０００２】
【従来技術】
かかる図形表示は特にテレビジョン装置のテレテキスト用に使用される。テレテキストは大部分文字または他の図形からなる前景を有している。背景は一般にエリアの異なった部分では異なった色を有してもよい色付きエリアである。さらに、前景および／または背景を透過表示に切り替え可能なことはかかるテレテキスト表示にとって公知である。このことは、前景および／または背景のそれぞれの透過表示に切り替えられたエリアで、それが表示される前景または背景ではなくて異なった表示平面であることを意味する。この異なった表示平面は、例えば透過表示に切り替えられたエリアで目に見えるようになるビデオ画像であることができる。
【０００３】
【発明が解決しようとする課題】
従来技術で公知の透過表示切り替え(transparent switching) 方法では、付加ビットが表示メモリで透過表示ビットとして蓄積される。透過表示切り替え用に表示メモリに蓄積された特定の色を使用することはまた可能である。両者の場合、透過表示切り替え用に保有されている付加メモリサイト(memory site) が要求される。属性ビットが表示メモリに透過表示用に保有されたり、透過表示切り替えが実際におこる色に割り当てられるメモリサイトが色メモリに保有される。
従って、本発明の目的は付加的なメモリスペース(memory space)が透過表示切り替え用に要求されないかかる図形分野の透過表示切り替え方法を提供せんとするものである。
【０００４】
【課題を解決するための手段】
本発明によれば、この目的はあるエリアで選択された前景色と同じエリアで選択された背景色がエリア単位で比較され、図形の前景および／または背景の複数エリアが透過表示に切り替えられ、選択された前景色と選択された背景色の予め定められた組合せ(constellation)が決定されることで解決される。
【０００５】
本発明に係る方法では、付加的なメモリスペースが図形表示の前景および／または背景の対応エリアの透過表示切り替え用には要求されず、それは付加的ビットまたは特定色が透過表示切り替え用に使用されないからである。その代わり、選択された前景色と選択された背景色の組合せが強調される。対応するエリアが透過表示に切り替えられる前景色と背景色の与えられた組合せを予め定められることができる。好適には、とにかく発生しないまたは有用でない前景色と背景色の組合せ、すなわち正規の図形表示用には使用されない組合せがこの目的用に選択されることができる。この比較はエリア単位で透過表示切り替えが起こったり起こらなかったりするように図形表示の別々のエリア用に個々になされる。
それによって、前景および／または背景の色にとってとにかく必要なメモリビットが付加的に透過表示切り替え用に使用されることができる。
【０００６】
請求項２に規定されたような発明に係る実施例は、図形表示またはテレテキスト表示の同一の前景色および背景色はとにかく認識不可能で透過表示切り替え用にこの組合せを利用するという事実を利用している。図形表示については、同一の前景色および背景色を有する図形はとにかく認識されないから前景色および背景色の可能な組み合わせに制限はない。
【０００７】
請求項３に規定されたような発明に係る別の実施例は、前景色および背景色が離れたエリアで静的に検査されるのみならず、第２エリアから第１エリアへの前景色および背景色の変化もまた検査される。第２エリアから第１エリアへの前景色および背景色の変化に依存して、前景色のみか、背景色のみか、両者かが透過表示に切り替えられるか、いずれも切り替えられないかの判定がなされる。かくて、前景色および背景色の変化が前景および背景にとって個々に判定可能な透過表示切り替え用付加基準として考慮される。
【０００８】
請求項４、５および６に規定されたような方法に係る別の実施例は、判定に際し考慮されている選択された前景色および／または背景色に変化のある透過表示切り替え用の好適な組合せを記載している。
請求項７に規定されたような発明に係る別の実施例で記載されているように、本発明に係る方法は、何ら付加的なメモリスペースなしに本発明に従って実現される透視機能（透過表示）を実施するのが一般に望ましいテレテキスト用に特に好適に使用される。
【０００９】
【発明の実施の形態】
以下添付図面を参照し実施例により本発明の実施の形態を詳細に説明する。
図１のブロック線図は色発生用回路装置１を示している。この回路装置は前景および背景を有する図形表示用の実際の色表示を発生するのに使用される。
前景色Ｖおよび背景色Ｈは例えばメモリ（図示されず）から回路装置１へエリア(area)単位で印加される。これらは複数の選択された色をエリア単位で信号化する対応するビットである。
【００１０】
色発生用回路装置１はさらに切り替え信号Ｐを受信し、この信号により回路装置は前景色および背景色間をエリア単位で切り替える。かくて、前景または背景いずれが表示されるべきかがエリア単位で選択される。前景色および背景色間で切り替え可能なエリアの大きさは任意の小ささまで、画素の大きさまで選択可能である。
【００１１】
回路装置１はその出力から図形信号を供給し、この例ではその信号は表示スクリーンに表示され得る３原色赤，緑および青からなっている。表示図形は前景要素および背景要素を具えている。テレテキスト表示では、前景要素は例えば文字または他の図形要素であり、一方背景色は一般に可能な限り色を変化させる平面状背景を構成する。
【００１２】
かかるテレテキスト表示において透視機能（透過表示）を一体化するのはしばしば望ましい。この場合例えば前景および／または背景の透過表示切り替えがエリア単位でまたは全体にわたり行なわれる。図形の透過表示に切り替えられたエリアは表示されず、その代わり異なった表示平面がこのエリアで例えば画像信号として表示される。
従来技術の方法では、特定の付加ビットが透過表示切り替えを信号化するために信号ＨおよびＶで要求される。このことは本発明に係る方法により以下明らかにされる。
【００１３】
この目的で、選択された前景色および背景色を信号化する信号ＶおよびＨを受信する認識回路２が設けられる。認識回路２は次の回路（図示されず）で色発生回路１の出力信号と画像信号との間を切り替えるＶＤＳ特徴信号を供給する。この結果図形から画像信号へのエリア単位の切り替えが行なわれ、一方画像信号に切り替えられたエリアは透過表示切り替えエリアを提供する。
最も簡単な場合、認識回路は前景色および背景色間の簡単な比較を実行できる。選択された前景色および選択された背景色間で、透過表示切り替えがなされるべきエリアを信号化する任意の固定の組合せが発生する時、認識回路２は信号ＶＤＳを供給し、それでこのエリアでは図形が画像表示へと切り替わり、すなわちこのエリアでは図形が透過表示に切り替えられる。
認識回路は例えば前景色および背景色の同一性を検査し、同一である場合には、この同一性が発生する対応エリアでの透過表示切り替えまたは異なった表示平面への切り替え用に信号ＶＤＳを供給する。
【００１４】
さらに、隣接エリア間での任意の前景色および背景色の遷移が評価できる。例えば、第１エリアが透過表示切り替えされるかされないかが判定されるこのエリアでは、このエリアの前景色および背景色のみならず隣接の第２エリアの前景色および背景色もまた評価される。この第２エリアと第１エリアとの間の透過表示切り替え用判定がなされる色遷移が付加的に評価されてもよい。さらに、色遷移のこの検査ではまた、第１エリアの色の決定がまたその判定のなかに含まれるだろう。
隣接エリア間の色遷移が考慮される現実はまた前景のみか、背景のみか、両者ともが透過表示に切り替えられるか、また両者とも透過表示に切り替えられないかの判定をなすのを許容する。
【００１５】
透過表示切り替えについての判定は、例えば第２エリアの背景色とは異なる色を第２エリアで有した前景色は、第１エリアの背景色と同一の前景色を第１エリアが有する時のみ第１エリアを透過表示に切り替えるべきものである。対応する判定基準はまた第２エリアから第１エリアへの遷移の間背景色変化用に使用することができる。これはまた前景色および背景色がこの遷移の間に同時に変化する時に適用される。
【００１６】
図２は第２エリアから第１エリアへ前景色および背景色の色遷移を適用するのに好適な判定基準を記号化した線図を示している。さらに、また第１エリアでの前景色および背景色が評価される。
線図では、丸印は前景および／または背景が透過表示に切り替えられたり、前景も背景も透過表示に切り替えられなかったりする状態を示している。２つの丸印間の遷移は、対応する遷移が図１に示す回路装置の認識回路により選択される発生判定基準を用意している。
丸印の１つから他への遷移は、透過表示切り替え判定がなされるべき図形の隣接の第２エリアから第１エリアへの前述の遷移に対応する。
【００１７】
図２の判定基準はＶ（＋）は例えば第１エリアの前景色を表し、特定の記号なしのＶは第２エリアの前景色を表す。これはまた背景色にも適用される。
例えば、第２エリアが中央の丸印により規定されるごとく表示される（Ｖ＋Ｈ◇ｔｒａｎｓ）と、前景色も背景色も関連エリアで透過表示に切り替えられず、すなわち図形の前景色および背景色の両者が表示される。図形の第２エリアのこの表示は図形の第１エリアの表示へと変化し、そのため背景は図２の関連状況の基準が満たされる時に透過表示になる。この例では、この基準は第２エリアおよび第１エリアの選択された背景色が異なり（Ｈ（＋）◇Ｈ）、両エリアの前景色が変化せず（Ｖ（＋）＝Ｖ）、第１エリアの前景色および背景色が同一である（Ｈ（＋）＝Ｖ（＋））時に満たされる。言い換えれば、このことは背景色のみが第２エリアおよび第１エリア間で変化し、第１エリアでは前景色と同一であることを意味する。この場合、丸印の頂部右での記号化された状態（Ｈ＝ｔｒａｎｓ）が到達されるだろうし、このことは背景が透過表示に切り替えられることを意味する。
【００１８】
中央の丸印により記号化された前景も背景も透過表示に切り替えられない状態に基づいて、切り換えが前景の透過表示に切り替えられる状態（Ｖ＝ｔｒａｎｓ）で図２の頂部左丸印に従って発生し、この時前景色は第２エリアから第１エリアへと変化し（Ｖ（＋）◇Ｖ）、背景色は変化せず（Ｈ（＋）＝Ｈ）、前景色および背景色は第１エリアで同一（Ｖ（＋）＝Ｈ（＋））になる。
さらに、中央の丸印により記号化されているところのものに従った表示から、前景および背景の両者が第２エリアと第１エリア間で変化し（Ｈ（＋）◇Ｈ ＡＮＤ Ｖ（＋）◇Ｖ）第１エリアで同一（Ｈ（＋）＝Ｖ（＋））である時、前景および背景の両者が透過表示に切り替えられる表示（Ｖ＋Ｈ＝ｔｒａｎｓ）へと切り換わるだろう。
【００１９】
ある条件では、前景および背景の両者が透過表示に切り替えられる底部の丸印に従った表示から、背景色か前景色が２つのエリア間で変化したり（Ｈ（＋）◇Ｈ ＯＲ Ｖ（＋）◇Ｖ）それらが第１エリアで等しくない（Ｈ（＋）◇Ｖ（＋））時、前景も背景も透過表示に切り替えられない中央丸印に従った表示への遷移が再びあるだろう。しかしながら、前景色と背景色が同一にとどまる（Ｖ＝Ｈ）時には両エリアの透過表示は維持される。
前景が透過表示に切り替えられる頂部左の丸印に従った表示から、２つのエリア間の背景色が変化しまたは前景色が変化し（Ｈ（＋）◇Ｈ ＯＲ Ｖ（＋）◇Ｖ）、さらに両者の色が第１エリアで等しくない（Ｈ（＋）◇Ｖ（＋））時、前景も背景も透過表示に切り替えられない中央丸印に従った表示への遷移がある。しかしながら、背景色および前景色が２つのエリア間で変化し（Ｈ（＋）◇Ｈ ＡＮＤ Ｖ（＋）◇Ｖ）、さらにそれらが第１エリアで等しい（Ｈ（＋）＝Ｖ（＋））なら、前景色および背景色が透過表示に切り替えられる表示への切り換えがあるだろう。しかしながら、前景色および背景色が同一にとどまる（Ｖ＝Ｈ）時には前景の透過表示は維持される。
【００２０】
対応する方法で、頂部右丸印における記号に従って透過表示に切り替えられる背景を有する表示に基づいて、異なった表示に適用する判定基準が設けられる。この表示に基づき、前景色または背景色がエリア間で変化したり（Ｈ（＋）◇Ｈ ＯＲ Ｖ（＋）◇Ｖ）それらが第１のエリアで同一でない（Ｈ（＋）◇Ｖ（＋））時前景も背景も透過表示に切り替えられない表示への遷移がある。前景色および背景色がエリア間で変化し（Ｈ（＋）◇Ｈ ＡＮＤ Ｖ（＋）◇Ｖ）第１エリアで同一になる（Ｈ（＋）＝Ｖ（＋））時、透過表示の前景および背景をともなった表示への遷移があるだろう。かくて、透過表示の背景を有する表示について、透過表示の前景を有する表示と同じ判定基準が他の状態への遷移に適用する。
これらの判定基準においては、第１エリアの前景色および背景色はかくて判定用に考慮される。さらに、隣接の第２エリアから第１エリアへの色の変化がその判定について考慮される。両判定基準は前景および／または背景が第１エリアで透過表示されるかどうかの判定に最終的に連帯して働く。
【００２１】
基本的には、与えられた前景色および背景色の純粋の静的評価は透過表示切り替えにとっては既に十分である。最も簡単な場合、第１エリアにおける前景色および背景色間の同一性が検査され、同一の場合には前景および／または背景の透過表示切り替えがある。遷移を評価する付加的基準に起因して、前景の、背景のまたは両者の透過表示切り替えが、前景色または背景色が変化し両者の色の与えられた組合せが第１エリアで得られたかどうかに依存してまた実施され得る。かくて、２つの色の何れが変化したかに依存して前景か背景が透過表示に切り替えれる選択がなされる。
このことは信号ＨＶで付加的なビットなしに透視機能（透過表示）の極端に柔軟性のある切り替え易さを提供し、かくて付加的メモリビットが要求される。
【図面の簡単な説明】
【図１】  本発明に係る方法に従って動作する回路装置のブロック線図。
【図２】  図１の回路配置の認識回路が従う判定基準の図形表現を示す図。
【符号の説明】
１  色発生用回路装置
２  認識回路
【図１】
0004625151.tif 000002
【図２】
0004625151.tif 000003